(57)【要約】【課題】サンプル台を用いないことにより、商品見本を高輝度にかつ均一に照射させるとともに、商品見本の展示作業性を向上させ、さらには電力コストや光源の交換メンテナンスを少なくすることができる自動販売機の商品見本の表示装置を提供すること。【解決手段】自動販売機に備えられる商品見本（Ａ）を照らし出す表示装置（１）であって、商品見本（Ａ）の正面よりも背後に発光体（２）が設けられるとともに、商品見本（Ａ）を支持するコネクタ（３）が自動販売機（１０）の内部に着脱可能に取り付けられる。この発光体（２）は、発光体（２）に電気的に接続する導線を有するとともに自動販売機（１０）に設けられた端子に連結される。このコネクタ（３）は、自動販売機（１０）の選択ボタン（１３）の端子に連結されることができる。【選択図】図１
2011113301.tif 000002
【特許請求の範囲】
【請求項１】
自動販売機に備えられる商品見本を照らす表示装置であって、
前記商品見本の正面よりも背後に設けられた発光体と、
この発光体に電気的に接続する導線を有し、前記自動販売機の内部に着脱可能に取り付けられて前記商品見本を支持するコネクタと、
を具備したことを特徴とする自動販売機の商品見本の表示装置。
【請求項２】
前記コネクタは、当該コネクタが支持する商品見本に対応した自動販売機の選択ボタンの端子に連結される請求項１記載の自動販売機の商品見本の表示装置。
【請求項３】
前記商品見本とコネクタとの間に弾性部材を介在させた請求項１又は２記載の自動販売機の商品見本の表示装置。
【請求項４】
前記発光体の点滅装置を具備した請求項１ないし３のうちいずれか一項に記載の自動販売機の商品見本の表示装置。
【発明の詳細な説明】
【技術分野】
【０００１】
本発明は、自動販売機の商品見本の表示装置に関し、特に、自動販売機に備えられている商品見本を照らし出して陰ができにくく、かつ、展示の際の作業性を向上させるとともに、電力コストを大幅に軽減できる、自動販売機における商品見本の表示装置に関するものである。
【背景技術】
【０００２】
ジュースやコーヒー等のソフトドリンク、日本酒やビール等の酒類、また、タバコ等その他の商品を無人で販売する自動販売機は、商品見本を展示する展示部を備え、この展示部に複数の商品見本が陳列されている。かかる商品見本は購入者が購入しようとしている商品の外形や銘柄等が付されていて、展示部内に具備されている蛍光灯等で照らされることで、日中はもとより、夜間においても明確に視認できるように表示されている。
【０００３】
また、複数の商品見本は、一般的な自動販売機においては展示部に設けられているサンプル台の上に載置されている。かかるサンプル台は展示部の背面パネルに取り付けられている。蛍光灯等の照射部材は、商品見本のみならずサンプル台をも照らしている。
【０００４】
ここにおいて、商品見本は、商品の空容器又は商品を模した見本であって軽量であるため、この商品見本を載置するサンプル台は、中実で所定の重量があるような、実際の商品を支持固定するほどの強度を必要としない。それにもかかわらず、サンプル台は実際の商品を支持できる程の強度を具備しているものであった。また、展示部内にサンプル台を具備することから、照射部材が商品見本を照らす際にはサンプル台に邪魔をされない工夫や、サンプル台の陰が発生しないような工夫が必要となる。そのため、商品見本の周囲に、これらの工夫による複数の照射部材を設置しなければならず、非常に不経済であった。
【０００５】
それらの問題を解決するために、また、近日の省エネルギーへの要請により電力コストを下げる目的で、自動販売機の商品見本に対する照明を廃止する動きが出ている。しかし照明を廃止すると、自動販売機が販売中なのか停電又は故障等により販売中止しているのかを購入者は判断がつきにくく、商品の販売商機を逃すという原因にもなりかねない。
【０００６】
自動販売機の商品見本の照明に関し、透明容器と透明ラベルとを有する見本缶の内側に蛍光灯等の照明手段を設け、この照明手段により見本缶を照明することで人目を引くことができるようにした自動販売機用見本缶がある（特許文献１）。
【０００７】
また、自動販売機の商品見本の下側エッジ部分、背面、又は輪郭部分に照明光を照射するＬＥＤランプを備え、これにより蛍光灯を用いずに商品サンプルの照明や宣伝が行え、また、シールを用いることなく宣伝が行えるようにした自動販売機の商品サンプル用光源がある（特許文献２）。
【先行技術文献】
【特許文献】
【０００８】
【特許文献１】特開平０５−３２４９９９号公報
【特許文献２】特開２００３−２２８７５６号公報
【発明の概要】
【発明が解決しようとする課題】
【０００９】
しかしながら、特許文献１の自動販売機用見本缶は、商品見本を照らし出す際の光源に蛍光灯が使用されている。蛍光灯を光源としたのでは電力コストが嵩むとともに、蛍光灯の寿命が短いため蛍光灯を頻繁に入替えする必要があり、またそれに伴い多くの部材コストも要した。
【００１０】
また特許文献２の自動販売機の商品サンプル用光源は、ＬＥＤランプを使用しているため前述の電力コストの問題は解決される。しかし、商品見本及びＬＥＤランプが自動販売機の主扉に固定部材を介して固着されているため、商品見本やＬＥＤランプの入替え作業が困難であった。そのこともあって、主扉にデザインを施す際は、サンプル等を全て取り外すか、主扉自体を取り替えなければならず、コスト面で問題が生じた。
【課題を解決するための手段】
【００１１】
そこで本発明の目的は、上記問題点を解消し、サンプル台を用いることなく、商品見本を高輝度にかつ均一に照射することができるとともに、商品見本の展示作業性を向上させることができ、更には電力コストや光源の交換メンテナンスを少なくすることができる自動販売機の商品見本の表示装置を提供することにある。
【００１２】
上記課題を解決する本発明の自動販売機の商品見本の表示装置は、自動販売機に備えられる商品見本を照らす表示装置であって、商品見本の正面よりも背後に設けられた発光体と、この発光体に電気的に接続する導線を有し自動販売機の内部に着脱可能に取り付けられて前記商品見本を支持するコネクタと、を具備したことを特徴とする。
【００１３】
また、コネクタは、当該コネクタが支持する商品見本に対応した自動販売機の選択ボタンの端子に連結される構成とすることができる。
また、商品見本とコネクタとの間に弾性部材を介在させた構成とすることができる。
さらに、発光体の点滅装置を具備した構成とすることができる。
【発明の効果】
【００１４】
本発明によれば、発光体が商品見本の背後に設けられ、この発光体に電気的に接続するとともに商品見本を支持するコネクタが着脱可能に取り付けられることにより、商品見本及び発光体の交換メンテナンスを容易に実施できる。
【００１５】
また商品見本は上記コネクタにより支持されることにより、自動販売機には商品見本を載置するサンプル台が不要となる。コネクタが自動販売機のフロントパネル側に取り付けられることにより、自動販売機のバックパネルには商品見本、発光体、及びサンプル台が固定されないため、バックパネルの入替えやデザイン作成を容易に行うことができる。
【００１６】
さらに、商品見本とコネクタとの間に弾性部材を介在させたことで、商品見本に対応する選択ボタンを購入者が押した際、商品見本が微妙に揺動して販売促進効果を向上させることができる。
【００１７】
なお、サンプル台を用いないことにより、バックパネルにポスターを貼ったり、デザインを施したりする作業も容易に行うことができる。さらに、サンプル台がないことにより、商品見本とバックパネルとの間に空間が生じるため、バックパネルに陰が発生しない。
【図面の簡単な説明】
【００１８】
【図１】本発明の商品見本の表示装置の一実施形態の断面図である。
【図２】図１の部分拡大図である。
【図３】商品見本の表示装置の使用状態を示す断面図である。
【図４】商品見本の表示装置の別の実施形態の断面図である。
【図５】商品見本の表示装置による商品見本の表示状態を示す正面図である。
【図６】商品見本の表示装置を適用する自動販売機の一例の正面図である。
【発明を実施するための形態】
【００１９】
以下、本発明の自動販売機の商品見本の表示装置における実施の形態を図１ないし図６に基づいて説明する。
【００２０】
本発明に係る自動販売機の商品見本の表示装置を適用する、自動販売機の一例を図６に正面図で示す。図６の自動販売機１０は、箱型の本体部１１と、複数の商品見本Ａが陳列されている展示部１２と、個々の商品見本Ａに対応して展示部１２に設けられた複数の選択ボタン１３と、本体部１１に設けられたコイン投入口１４及び商品取出口１５等を備えている。これらの構成要素は一般の自動販売機が具備しているものである。
【００２１】
このような自動販売機１０に用いられる本実施形態の商品見本の表示装置１を図１に示す。図１の商品見本の表示装置１は、自動販売機１０の展示部１２に備える透明なフロントパネルＦ側から見た商品見本Ａの正面よりも背後に発光体２が設けられている。また、商品見本を支持するコネクタ３を備えている。このコネクタ３はこの発光体２に電気的に接続する導線を有し、自動販売機１０内のフロントパネルＦ側に着脱可能に取り付けられているものである。
【００２２】
図１に示した商品見本Ａは、飲料用缶の形状を有している例であって、自動販売機１０の展示部１２に備える透明なフロントパネルＦ側から見て、その自動販売機で販売される商品と同形状の円筒中空形状を有している。また、この商品見本Ａの表面には、販売する商品と同じデザインが表示されている。また商品見本Ａは、発光体２から発光される光が商品見本Ａを通してフロントパネルＦより外方に照射できるように、透明又は半透明等の透光性を有する樹脂素材からなる。
【００２３】
この商品見本Ａの正面よりも背後に、本実施形態では中空円筒形状の商品見本Ａの内側に、発光体２が備えられている。この発光体２は、図１中、商品見本Ａ内面の背後側に１体が装着されているが、本発明の表示装置は、発光体が１体である例に限られず、複数体を設けることができる。また、発光体２を設ける位置は、商品見本Ａの正面よりも背後であれば図１に示した例に限られず、例えば商品見本Ａの底面や上面に配設することもできる。更に、発光体が複数体ある場合には、これらの発光体を商品見本Ａの正面よりも背後側における、商品見本Ａの内面及び底面、内面及び上面、底面及び上面、又は内面、底面及び上面のような組み合わせで配設することができる。
【００２４】
本実施形態の表示装置１は、商品見本Ａ内に発光体２を備えたことで、商品見本Ａを高輝度にかつ均一に照射させることができる。なお、商品見本Ａを照射させる発光体としては、商品見本Ａ内面の背後側に取り付けることができる発光体であればよく、蛍光灯等の汎用の発光体を適用することができるが、なかでも電力コストや交換メンテナンスの面を考慮してＬＥＤランプを使用することが好ましい。
【００２５】
この発光体２は、フロントパネルＦに対して着脱可能に設けられたコネクタ３に電気的に接続されている。より具体的には、図２に示すように、コネクタ３は概略棒状を有し、その中心部に、一方の端部近傍から他方の端部までにわたって銅線等の導線が埋設されている。この導線はコネクタ３先端の突出部４を通じて、フロントパネルＦに設けられた端子１６に挿抜可能に接続されるようになっている。また、コネクタ３の後端部近傍では、コネクタ３の導線が、発光体２に接続するコード５と連結されている。
【００２６】
コネクタ３の突出部４が挿入される端子１６は、自動販売機１０のフロントパネルＦに設置された選択ボタン１３の背後に設けられた押しスイッチ用の端子を兼ねるか、又はこの押しスイッチ用の端子と連結されるものであることが好ましい。このことにより、商品見本Ａと選択ボタン１３とが近接する位置関係となるから、位置関係が良好となり商品見本Ａの取り付け作業性が向上する。商品見本Ａの各々に対しコネクタ３を個別に用意することから、選択ボタン１３に対応した商品見本Ａを取り付ける際に商品見本Ａの交換が容易であり、この点でも取り付け作業性が向上する。
【００２７】
また、商品見本Ａは、コネクタ３により支持される。本実施形態の表示装置１は、コネクタ３が商品見本Ａを支持し得る剛性を有する棒状のものであり、従来の自動販売機に用いられるサンプル台を用いていない。このことから、コネクタ３は商品見本Ａを支持するための必要十分な剛性を有しつつ、サンプル台を用いた場合の陰の発生問題を回避することができる。
【００２８】
商品見本Ａはコネクタ３と直接的に、又はコネクタ３との間に剛性のある部材を介して支持されてもよいが、図１及び図２に示すように、商品見本Ａとコネクタ３との間に、弾性的に撓むことのできる弾性部材６を介在させることが好ましい。この弾性部材６は一般的にはバネ部材を用いることができ、なかでも図示したコイルバネが好ましい。もっとも、コイルバネに限定されず、例えば板状のバネ部材でもよい。商品見本Ａとコネクタ３との間にバネ部材６を介在させると、次の効果が得られる。購入者が選択ボタン１３を押した場合、この押圧力でコネクタ３が長手方向にわずかに振動する。このコネクタ３の長手方向の振動により、コネクタ３の後端部近傍に弾性部材６を介して支持されている商品見本Ａは、図３に示すように、わずかに揺動する。つまり、購入者が選択ボタン１３を押すと、この押しボタン１３に対応する商品見本Ａが揺動するという、視覚的な趣が表現され、販売促進の効果が得られる。なお、商品見本Ａの揺動の程度は、弾性部材６のサイズ、強度などで調整することができ、また、商品見本ＡとバックパネルＢとの間に緩衝部材（図示せず）を設けたり、選択ボタン１３とバックパネルＢとの間に補強部材（図示せず）を介在させたりすることで、商品見本Ａの過大なぐらつきを抑えることもできる。
【００２９】
また、商品見本の表示装置１の他の好適例として、発光体２の点滅装置７を具備することが好ましい。点滅装置７は、例えば図４に示すように、コネクタ３内の導線の途中に備えられていて、発光体２の連続点灯又は点滅を切り替えられるような構成を有している。そして、連続点灯又は点滅の切り替えスイッチ（図示せず）を操作することで単数又は複数の発光体２を点滅させることができるようにしてある。この点滅装置７によって発光体２を点滅させることにより、視覚面における刺激を向上させることができ、購入者の購買意欲を増大させることができる。
【００３０】
また、点滅装置７が発光体２の点灯、消灯を切り替えるスイッチの役割を果たすことができる構成にして、そのような構成の点滅装置７に人感センサを接続することで、自動販売機１０に人が近づいた時に発光体２を点灯させることもできるようにしたり、タイマーを接続することで、夕方から朝までの時間に発光体２を点灯させることもできるようにしたり、光センタを接続することで、自動販売機１０の周囲が暗くなった時に発光体２を点灯させることもできるようにしたりすることができる。
【００３１】
次に、本発明の自動販売機の商品見本の表示装置における使用方法及び作用効果を説明する。
【００３２】
図５は、商品見本の表示装置１を具備した自動販売機に陳列された商品見本Ａへの照射状態を示すものである。本実施形態では、中空円筒形状の商品見本Ａの内部に発光体２が収容されているので、商品見本Ａを高輝度に照射させることができる。また、発光体２が商品見本Ａの内部から正面に向けて均一に照射させることで商品見本Ａに陰ができ難くなる。また、従来技術のようなサンプル台による陰の発生も回避できる。
【００３３】
また商品見本Ａをコネクタ３を介して選択ボタン１３が設けられたフロントパネル側に着脱自在に装着したことにより、商品見本Ａ及び発光体２の入替えを短時間に容易に行うことができる。またサンプル台を用いないことにより、バックパネルＢにポスターを貼ったり、デザインを施したりする作業も容易に行うことができる。また、サンプル台がないことにより、商品見本ＡとバックパネルＢとの間に空間が生じるため、バックパネルＢに陰が発生しない。
【００３４】
また購入の際、選択ボタン１３を押圧するとコネクタ３が揺れ、それに伴い商品見本Ａが微妙に揺動するので、視覚的な趣が表現されて販売促進の効果が高まる。
【００３５】
さらに、点滅装置７により発光体２を点滅状態に設定することで、商品見本Ａ自体を点滅させることができ、外観的な刺激を向上させることができる。
【符号の説明】
【００３６】
１    商品見本の表示装置
２    発光体
３    コネクタ
４    突出部
５    コード
６    弾性部材
７    点滅装置
１０  自動販売機
１１  本体部
１２  展示部
１３  選択ボタン
１４  コイン投入口
１５  商品取出口
１６  端子
Ａ    商品見本
Ｂ    バックパネル
Ｆ    フロントパネル
【図１】
2011113301.tif 000003
【図２】
2011113301.tif 000004
【図３】
2011113301.tif 000005
【図４】
2011113301.tif 000006
【図５】
2011113301.tif 000007
【図６】
2011113301.tif 000008